(57)【要約】【課題】炭酸ガスの流量、炭酸ガス及び美容液等の機能性水溶液の噴射量を増加させて適正化することができ、適切な噴霧状態の炭酸美容液ミスト等の機能性水溶液のミストを発生させることができ、液溜まりを減少させ、液垂れを防止することができ、品質を向上させることができる美顔器を提供する。【解決手段】炭酸ガスを噴射する第１ノズルと、第１ノズルの炭酸ガスを噴射する開口に近接して、機能性水溶液を噴出する開口を配置し、機能性水溶液をベンチュリ効果により噴出させる第２ノズルと、外部から空気を取り込む少なくとも１つの吸気口と、第１ノズルと前記第２ノズルを内蔵し、第１ノズルから噴射される炭酸ガスのガス流により、第２ノズルから噴出させた機能性水溶液をガスが溶解されたミストにする噴霧室と、炭酸ガスが溶解された機能性水溶液の前記ミストを噴霧する噴霧口とを有するミスト噴霧部を備える美顔器により、課題を解決する。【選択図】図１
2016150225.tif 000002
【特許請求の範囲】
【請求項１】
美容のための機能性水溶液に炭酸ガスを溶解したミストを顔肌に吹き付ける美顔器であって、
前記炭酸ガスを噴射する第１ノズルと、
前記第１ノズルの前記炭酸ガスを噴射する開口に近接して、前記機能性水溶液を噴出する開口を配置し、前記機能性水溶液をベンチュリ効果により噴出させる第２ノズルと、
外部から空気を取り込む少なくとも１つの吸気口と、
前記第１ノズルと前記第２ノズルを内蔵し、前記第１ノズルから噴射される前記炭酸ガスのガス流により、前記第２ノズルから噴出させた前記機能性水溶液を炭酸ガスが溶解されたミストにする噴霧室と、
前記炭酸ガスが溶解された前記機能性水溶液の前記ミストを噴霧する噴霧口と
を有するミスト噴霧部を備えることを特徴とする美顔器。
【請求項２】
前記第１ノズルから噴射される前記炭酸ガスのガス流に直交する位置に前記第２ノズルの前記開口が配置されることを特徴とする請求項１に記載の美顔器。
【請求項３】
前記少なくとも１つの吸気口は、前記第２ノズルの前記開口と直交する位置または対向する位置に設けられることを特徴とする請求項１または２に記載の美顔器。
【請求項４】
前記第１ノズルの開口は、内径が０．４ｍｍ〜０．６ｍｍであることを特徴とする請求項１〜３のいずれかに記載の美顔器。
【請求項５】
前記第２ノズルの開口は、内径が０．２２〜０．２８ｍｍであることを特徴とする請求項１〜４のいずれかに記載の美顔器。
【請求項６】
前記吸気口の開口は、内径が２．５〜３．５ｍｍである請求項１〜５のいずれか１項に記載の美顔器。
【請求項７】
さらに、
前記第２ノズルの噴出口から噴出される機能性水溶液を貯留するタンクと、
前記第１ノズルから噴射する前記炭酸ガスの量を制御する第１バルブと、
前記第１ノズルから噴射する前記炭酸ガスの圧力を制御する第２バルブと、
前記炭酸ガスボンベと、
を備えることを特徴とする請求項１〜６に記載の美顔器。
【請求項８】
さらに、前記噴霧部、前記タンク、前記第１バルブ、前記第２バルブおよび前記炭酸ガスボンベを収納する筐体を備えることを特徴とする請求項７に記載の美顔器。
【請求項９】
前記筐体は、
前記吸気口に対向する位置に設けられる吸気用開口と、
前記吸気用開口に対して開閉可能に設けられたカバーと、
を備え、
前記カバーを閉じているとき、前記カバーは前記吸気用開口から吸気を可能にする少なくとも１つのスリットを有することを特徴とする請求項８に記載の美顔器。
【請求項１０】
前記筐体の内部には、前記タンクを支持するガイド部が設けられており、
前記タンクは、前記ガイド部によりスライド可能に引き出せることを特徴とする請求項８または９に記載の美顔器。
【請求項１１】
前記タンクは、前記筐体から着脱可能であることを特徴とする請求項８〜１０のいずれかに記載の美顔器。
【請求項１２】
前記タンクは、
前記機能性水溶液の注ぎ口を有する上部天板と、
前記注ぎ口を覆う蓋と、
前記上部天板に上下動可能に取り付けられ、下端が前記タンク内に開口し、上端の開口が前記第２ノズルの後端側の開口に接続する受け継ぎ手と、
前記受け継ぎ手を前記上部天板に対して上側に布施するバネと
を備え、
前記バネを用いて前記受け継ぎ手の上端を第２ノズルの後端に押し当てることにより前記受け継ぎ手と前記第２ノズルとを連結し、前記タンクを前記筐体にロックする請求項８〜１１のいずれかに記載の美顔器。
【請求項１３】
前記ミストの径は、１０μｍ以下であることを特徴とする請求項１〜１２のいずれかに記載の美顔器。
【請求項１４】
前記機能性水溶液は、美容液、化粧水及び水の少なくとも１つであることを特徴とする請求項１〜１３のいずれかに記載の美顔器。
【請求項１５】
前記少なくとも１つの吸気口に取り付け、前記吸気口内及び前記第２ノズル内の少なくとも１つに針を通し、内部を洗浄する掃除ユニットを備えることを特徴とする請求項１〜１４のいずれかに記載の美顔器。
【発明の詳細な説明】
【技術分野】
【０００１】
本発明は、炭酸ガスを用いて美容のためのミストを発生する美顔器に係り、詳しくは、美容液や化粧水等の美容のための機能性水溶液を炭酸ガスによって噴霧状にして炭酸が美容液等の機能性水溶液に溶解したミスト等の噴霧を発生させ、顔肌等に吹き付ける美顔器に関する。
【背景技術】
【０００２】
近年、健康な顔肌を得るために、小型炭酸ガスボンベから噴射される炭酸ガスによって美容液等を噴霧状にして炭酸が美容液等の機能性水溶液に溶解したミスト、いわゆる、炭酸美容液ミストやスプレー等の噴霧を発生させ、顔肌等に吹き付けるためのエアブラシの形状に似たタイプの美顔器やパーソナルケア用スプレーが提案されている（特許文献１および２参照）。
また、肌に当接させた吸引ノズルによって皮脂や汚れを吸引すると共に、ベンチュリ機構を持つ噴霧ノズルから水等の液体を吸引ノズルの周囲位置に液体を噴霧する美顔器が提案されている（特許文献３参照）。
【０００３】
特許文献１は、卓上に載置されたガス供給用ボンベから炭酸ガスを供給する導管の前方且つ噴出口頭部の位置に、所定量の化粧水を収納し化粧水を導管内へ滴下するカップを備えるとともに、その導管の先端に噴出ノズルが設けられたスプレー本体を有する美顔器であって、カップ内の化粧水を導管内へ滴下させつつ、ガス供給用ボンベから炭酸ガスを噴出ノズルから噴出させることで、炭酸ガスが溶解した化粧水（炭酸混合化粧水）を霧状に噴射する美顔器を開示している。
この美顔器においては、導管内においてカップ内の化粧水が滴下される位置とガス供給用ボンベとの間に設けられる導管の内孔に、開閉するシャッター板が取り付けられ、炭酸ガスの流入または遮断を可能にしている。また、カップの化粧水滴下口には、逆止弁が設けられ、導管内を流れる炭酸ガスに化粧水を供給して適正な炭酸成分の炭酸混合化粧水を生成し、先端噴出ノズルから霧状の化粧水や炭酸混合化粧水を顔肌等に噴射している。
【０００４】
また、特許文献２は、特許文献１のガス供給用ボンベとスプレー本体とを一体化した美顔器を開示している。この美顔器は、最上部に、美容液等の機能性液体を収納するカップを噴出口頭部に備える噴霧器、最下部に、炭酸ガスのボンベを有する構造を有するとともに、炭酸ガスのボンベから噴霧器に向かって、順に、炭酸ガスの圧力を減圧調整する第１バルブを備えるレギュレータ（減圧弁）、炭酸ガスの通路を開閉する第２バルブ（開閉弁）を有している。
【０００５】
特許文献２の噴霧器は、ノズルと、先端がノズルと連結し、中心部に機能性水溶液流路が形成され、噴出口頭部に機能性水溶液流路内に連通するカップを備え、カップとは反対の位置に第２バルブによって開閉され、機能性水溶液流路に平行に設けられた炭酸ガス流路が形成されたノズルコネクタと、ノズル内と機能性水溶液流路を連通するジェットニードルと、ノズルを覆うようにノズルコネクタに嵌合されたノズルキャップと、ジェットニードルの先端位置を進退自在に調整する調節ダイヤルと、を備えている。ノズルキャップの絞り部によって形成されるノズル開口部は、その内側にノズルの先端の開口部が配置され、ノズルの先端の開口部からノズル開口部に連通するようにジェットニードルの先端が突出し、ノズルの外周とノズルキャップの内周との間隙に、炭酸ガス流路が連通するように構成されている。
この噴霧器では、カップから流下した機能性水溶液が機能性水溶液流路内を満しており、炭酸ガス流路から供給された炭酸ガスが、ノズルの外周とノズルキャップの内周との間隙を通りノズル開口部から流出すると、ノズルの内部圧力及びノズルコネクタの機能性水溶液流路の内部圧力が低下し、機能性水溶液が絞り部において炭酸ガスと混合され、ノズル開口部から機能性水溶液が噴霧される。
【０００６】
また、特許文献３は、肌に当接して皮脂や汚れを吸引する吸引ノズルと、吸引ノズルに吸引力を発生するための吸引ポンプと、吸引ノズルの周囲に液体を噴霧するベンチュリ機構を持つ噴霧ノズルと、噴霧ノズルに供給する液体を貯蔵するタンクと、タンク内の液体をベンチュリ機構の液体供給側開口に導く液体供給路と、ベンチュリ機構のエアー供給側開口にエアーを供給し、液体供給路内に負圧を発生させることにより噴霧ノズルから液体を噴霧させる吐出ポンプとを備える美顔器を開示している。この美顔器では、吸引ノズルを肌に当接し、吸引ポンプにより吸引ノズルに吸引力を発生させて皮脂や汚れを吸引すると共に、吐出ポンプを用いてベンチュリ機構を持つ噴霧ノズルから水等の液体を吸引ノズルの周囲位置に液体を噴霧する。
【先行技術文献】
【特許文献】
【０００７】
【特許文献１】特開２０１３−２３６７７７号公報
【特許文献２】実用新案登録第３１７５４４６号公報
【特許文献３】特開２００５−３４２１３５号公報
【発明の概要】
【発明が解決しようとする課題】
【０００８】
しかし、特許文献１の美顔器は、炭酸ガス供給用ボンベとスプレー本体とが一体的ではないため、両者を接続する可撓性ホースが短い場合、場所によってはボンベを卓上等に置くことができず、スプレー本体を持つ手とは反対の手でボンベを持たなくてはならない。また、可撓性ホースが長いと、場所によっては可撓性ホースが様々な物に引っ掛かって邪魔になる場合があり、スムーズな使用ができないという問題があった。
また、特許文献１の美顔器は、スプレー本体の化粧水収納用カップが、炭酸ガスが流下する導管の上側に逆止弁を介して設けられているため、炭酸ガスの逆流は防止できるものの、化粧水と炭酸ガスとの混合量を制御することが難しい。また、化粧水と炭酸ガスとの混合物を先端噴出ノズルから噴出して霧状にするため、混合状態によっては化粧水の均一且つ微細なミスト化が難しいという問題があった。
【０００９】
特許文献２に開示の美顔器は、炭酸ガス供給用ボンベとスプレー本体とが一体的な構造をしているものの、噴霧器の構造が、ジェットニードルの外周に機能性水溶液を吐出するノズルが配置され、ノズルの外周に炭酸ガスを噴出するノズル開口部を持つ絞り部を備える二重管構造となっているため、調節ダイヤルにより、ジェットニードルを進退させ、ノズルの先端開口とジェットニードルとの間隙を拡縮して機能性水溶液の吐出量を調節する必要がある。そのため、機能性水溶液の吐出量を制御するのが難しく、炭酸ガスによる負圧によって吸引される機能性水溶液と噴出される炭酸ガスとの混合物をノズル開口部から噴出して霧状にする際に、機能性水溶液の均一且つ微細なミスト化が難しいという問題があった。
また、特許文献２に開示の噴霧器では、機能性水溶液のカップが、ノズルが先端部に取り付けられるノズルコネクタ内の機能性水溶液流路の上方にアダプタを介して取り付けられ、カップの内部が、ノズル内の流路と連通する機能性水溶液流路内と直接連通しているため、不使用時には、ノズルの中心に配置されるジェットニードルを後端のダイヤルで前進させてノズルの先端の開口部を閉塞しないと、機能性水溶液がノズルの先端の開口部から漏れてしまうという問題があった。
【００１０】
また、特許文献３に開示の美顔器では、吐出ポンプを用いて、噴霧ノズルのベンチュリ機構のエアー供給側開口にエアーを供給するものであるので、炭酸ガスボンベを用いて炭酸ガスをガス供給側開口に供給することを目的とするものではないし、供給する液体も水等の液体であるので、美容液や化粧水等の機能性水溶液を用いることを目的とするものでもない。したがって、特許文献１に開示の美顔器のスプレー本体や、特許文献２に開示の噴霧器に、特許文献３に開示の美顔器の噴霧ノズルを適用することはできないが、仮に適用したとしても、噴霧ノズルのベンチュリ機構の液体供給側開口に機能性水溶液を供給した場合には、機能性水溶液に含まれる美容成分等によって液体供給側開口が詰まって使用できなくなるという問題があった。
また、特許文献３に開示の美顔器の噴霧ノズルでは、ベンチュリ機構のエアー供給側開口及び液体供給側開口が直接外部に開放されているため、ゴミなどが詰まり易く、炭酸美容液ミスト等の美容液や化粧水等の機能性水溶液のミストを安定して生成することができず、長時間安定して使用できないという問題があった。
【００１１】
本発明は、上記従来技術の問題点を解消するために成されたものであって、メインノズルの炭酸ガスの噴射口とタンク内の機能性水溶液を吸い上げる吸い上げノズル先端開口とが近接して配置されるベンチュリ機構を筐体内に内蔵し、炭酸ガスボンベや美容液等の機能性水溶液のタンクを筐体内に一体化した美顔器であっても、炭酸ガスの流量、炭酸ガス及び美容液等の機能性水溶液の噴射量を増加させて適正化することができ、適切な噴霧状態の炭酸美容液ミスト等の機能性水溶液のミストを発生させることができ、液溜まりを減少させ、液垂れを防止することができ、品質を向上させることができる美顔器を提供することを目的とする。
【課題を解決するための手段】
【００１２】
本発明者らは、上記課題を解決するために、鋭意研究を重ねた結果、従来の美顔器が、特許文献１に開示されたようなエアブラシの形状に似たタイプのものが多く、炭酸ガスの噴射口や美容液の供給口は、特許文献１〜３に開示されたようにむき出した形状が多かったため、炭酸ガスの噴射流量と美容液の供給圧力は問題にされず、炭酸ガスや美容液の流量が課題とされることはなかったが、炭酸ガスの噴射口や美容液の供給口がむき出しであると、美顔器の美感が損なわれるばかりか、美容液の供給口が詰まり易く、長時間安定して使用できないという問題を知見した。
そこで、本発明者らは、噴射機構を炭酸ガスボンベ及び美容液タンクを搭載した美顔器本体と一体化すると共に、炭酸ガスの噴射口や美容液の供給口を噴射機構内、従って美顔器本体内に内蔵した。しかし、炭酸ガスの噴射口や美容液の供給口を内蔵した結果、むき出しの場合と比較して、炭酸ガスや美容液等の流量及び噴射量が減少するという不具合が発生することを知見した。
そこで、本発明者らは、更に研究を重ねた結果、炭酸ガスや美容液等の流量や噴射量の減少という不具合の発生が、炭酸ガスの噴射口や美容液の供給口を内蔵した結果、外気の取り入れが少なくなったことにあることを知見し、本発明に至ったものである。
【００１３】
本発明は、美容のための機能性水溶液に炭酸ガスを溶解したミストを顔肌に吹き付ける美顔器であって、炭酸ガスを噴射する第１ノズルと、第１ノズルの前記炭酸ガスを噴射する開口に近接して、機能性水溶液を噴出する開口を配置し、機能性水溶液をベンチュリ効果により噴出させる第２ノズルと、外部から空気を取り込む少なくとも１つの吸気口と、前記第１ノズルと第２ノズルを内蔵し、第１ノズルから噴射される炭酸ガスのガス流により、第２ノズルから噴出させた前記機能性水溶液を炭酸ガスが溶解されたミストにする噴霧室と、炭酸ガスが溶解された機能性水溶液の前記ミストを噴霧する噴霧口とを有するミスト噴霧部を備えることを特徴とする美顔器を提供するものである。
【００１４】
第１ノズルから噴射される前記炭酸ガスのガス流に直交する位置に第２ノズルの開口が配置されることが好ましい。
少なくとも１つの吸気口は、第２ノズルの開口と直交する位置または対向する位置に設けられることが好ましい。
第１ノズルの開口は、内径が０．４ｍｍ〜０．６ｍｍであることが好ましい。
第２ノズルの開口は、内径が０．２２ｍｍ〜０．２８ｍｍであることが好ましい。
吸気口の開口は、内径が２．５〜３．５ｍｍであることが好ましい。
【００１５】
さらに、第２ノズルの噴出口から噴出される機能性水溶液を貯留するタンクと、第１ノズルから噴射する炭酸ガスの量を制御する第１バルブと、第１ノズルから噴射する炭酸ガスの圧力を制御する第２バルブと、炭酸ガスボンベと、を備えることができる。
さらに、噴霧部、タンク、第１バルブ、第２バルブおよび炭酸ガスボンベを収納する筐体を備えることができる。
筐体は、吸気口に対向する位置に設けられる吸気用開口と、吸気用開口に対して開閉可能に設けられたカバーと、を備え、カバーを閉じているとき、カバーは吸気用開口から吸気を可能にする少なくとも１つのスリットを有することが好ましい。
筐体の内部には、タンクを支持するガイド部が設けられており、タンクは、ガイド部によりスライド可能に引き出せることが好ましい。
【００１６】
タンクは、筐体から着脱可能であることが好ましい。
タンクは、機能性水溶液の注ぎ口を有する上部天板と、注ぎ口を覆う蓋と、上部天板に上下動可能に取り付けられ、下端がタンク内に開口し、上端の開口が第２ノズルの後端側の開口に接続する受け継ぎ手と、受け継ぎ手を上部天板に対して上側に布施するバネとを備え、バネを用いて受け継ぎ手の上端を第２ノズルの後端に押し当てることにより受け継ぎ手と第２ノズルとを連結し、タンクを筐体にロックすることが好ましい。
【００１７】
ミストの径は、１０μｍ以下であることが好ましい。
機能性水溶液は、美容液、化粧水及び水の少なくとも１つであることが好ましい。
【００１８】
少なくとも１つの吸気口に取り付け、吸気口内及び第２ノズル内の少なくとも１つに針を通し、内部を洗浄する掃除ユニットを備えることもできる。
【発明の効果】
【００１９】
本発明によれば、メインノズルの炭酸ガスの噴射口とタンク内の機能性水溶液を吸い上げる吸い上げノズル先端開口とが近接して配置されるベンチュリ機構を筐体内に内蔵し、炭酸ガスボンベや美容液等の機能性水溶液のタンクを筐体内に一体化した美顔器であっても、炭酸ガスの流量、炭酸ガス及び美容液等の機能性水溶液の噴射量を増加させて適正化することができ、適切な噴霧状態の炭酸美容液ミスト等の機能性水溶液のミストを発生させることができ、液溜まりを減少させ、液垂れを防止することができ、品質を向上させることができる。
【図面の簡単な説明】
【００２０】
【図１】本発明の実施形態に係る美顔器の側面から見た縦断面図である。
【図２】図１に示す美顔器の正面から見た部分断面図である。
【図３】図１に示す美顔器の異なる使用形態を示す上面図であり、図３（Ａ）は、カバー開時を示し、図３（Ｂ）は、カバー閉時を示す。
【図４】図１に示す美顔器のノズルアセンブリの拡大断面図である。
【図５】図４に示す美顔器のノズルアセンブリの作用を説明するための図であり、図５（Ａ）は側面図を示し、図５（Ｂ）は上面図を示す。
【図６】図１に示す美顔器のタンクアセンブリの拡大断面図である。
【図７】図１に示す美顔器の一使用形態を示す部分分解斜視図である。
【図８】図１に示す美顔器のバルブアセンブリの拡大断面図である。
【図９】図１に示す美顔器の減圧弁アセンブリの拡大断面図である。
【図１０】図１に示す美顔器の一使用形態を示す部分分解斜視図である。
【発明を実施するための形態】
【００２１】
以下に、本発明に係る美顔器を好適な実施形態を参照して詳細に説明する。
この実施形態においては、機能性水溶液として美容液を炭酸ガスのガス流によって霧状にし、炭酸を美容液に溶解させたミストを発生させ、顔肌に吹き付ける美顔器を説明する。また、ここで、発生させるミストは、１０μｍ以下の液体微粒子からなるものを代表例として説明する。
【００２２】
図１は、本発明の実施形態に係る美顔器を側面から見た縦断面図である。図２は、図１に示す美顔器を正面（前面）から見た部分断面図である。図３（Ａ）及び（Ｂ）は、図１に示す美顔器の上面図である。
【００２３】
図１に示すように、本発明の一実施形態の美顔器１０は、筐体１２と、筐体内の上部から順に、ノズルアセンブリ１４と、タンクアセンブリ１６と、バルブアセンブリ１８と、減圧弁アセンブリ２０と、炭酸ガスボンベ２２と、を備える。
【００２４】
筐体１２は、上ケース２４と、下ケース２６とを有する。
上ケース２４は、ノズルアセンブリ１４を収納するヘッド部２４ａと、タンクアセンブリ１６、バルブアセンブリ１８、及び減圧弁アセンブリ２０を収納する本体部２４ｂとを有する。
ヘッド部２４ａは、図１〜図３に示すように、円筒の一部を切り欠いた概略円筒形状を持ち、断面形状と同じ円の一部を少し切り欠いた形状の上面２５ａと、切り欠かれて平面状となった前面２５ｂとを持つ。
【００２５】
図３に示すように、上面２５ａには、ノズルアセンブリ１４の第１の吸気口４４ａに対応する位置に吸気用開口２８が形成されており、この吸気用開口２８を開放する位置（図３（Ａ）参照）と覆う位置（図３（Ｂ）参照）との間をスライドすることができるカバー３０が筐体１２の外部、すなわち、上面２５ａの外側に取り付けられている。
このカバー３０は、図３（Ｂ）に示すように、カバー３０が吸気用開口２８を覆う位置にある時、吸気用開口２８を筐体１２の外部と連通させるスリット３０ａを有している。図示例では３つのスリット３０ａが形成されているが、その数や形状は特に限定されず、後述する、ノズルアセンブリ１４の吸気口４４によるエジェクタ効果を損なわない限り、吸気口４４のサイズに応じて適宜選択すればよい。
このようなスリットを有するカバー３０によれば、外観もよく、また、吸気用開口２８から筐体内へゴミなどが侵入することを防ぎ、美容液のミストを安定して生成することができる。
前面２５ｂには、図１に示されるように、ノズルアセンブリ１４で発生させた炭酸美容液ミストを噴霧するための開口３２が形成されている。
【００２６】
本体部２４ｂの円筒面の前面には、バルブアセンブリ１８の炭酸ガスの通路を開閉する開閉弁を操作するための操作ボタン３４を外部に露出させるための開口３５が形成されている。
下ケース２６は、炭酸ガスボンベ２２を収納するもので、上ケース２４に対して図示しないネジや凸部と凹部による嵌め込み等の固定手段によって取り外し可能に固定されている。炭酸ガスボンベ２２の交換は、下ケース２６を上ケース２４から取り外し、減圧弁アセンブリ２０から使用済の炭酸ガスボンベ２２を取り外し、未使用の炭酸ガスボンベ２２を減圧弁アセンブリ２０に取り付けて固定した後、下ケース２６が上ケース２４に取り付けられることで実施される。
【００２７】
ノズルアセンブリ１４は、本発明の特徴とする部分であって、図４や図５に示すように、炭酸ガスを噴射するメインノズル３６と一体的に形成されたノズル本体３８と、タンクアセンブリ１６から美容液を吸い上げ噴出する吸い上げノズル４０と、ノズルジョイント４２と、からなる。
ノズル本体３８は、外部から空気を取り込む吸気口４４（４４ａ〜４４ｃ）と、ミスト噴霧口４６とを有する円環状の噴霧室４８を有する。メインノズル３６及び吸い上げノズル４０は、噴霧室４８内において、それぞれの開口３６ａ及び４０ａがその室内の中心に突出するように設けられている。
炭酸ガスがメインノズル３６の開口３６ａから噴出されると、吸い上げノズル４０の内部圧力が低下し、美容液が吸い上げノズル４０内に吸い上げられ、開口４０ａから噴出される。また、噴出された美容液は、炭酸ガス流により、炭酸ガスと混合され、噴霧口４６から霧状に噴霧される。
【００２８】
ノズル本体３８には、３つの吸気口４４ａ〜４４ｃが設けられている。このように複数の吸気口を有すれば、図５の矢印が示すように、メインノズル３６から噴射されるガス流だけでなく、外部からも空気が流入するので、エジェクタ効果が高まり、美容液を吸い上げノズル開口まで吸い上げて噴出させ、炭酸ガスの溶解およびミスト化する効果を向上させることができ、顔肌等に適切な圧力でミストを吹き付けることが可能である。
また、ノズル本体３８には、吸い上げノズル４０の先端開口４０ａと対向する位置に、噴霧室４８内から外部に通じる吸気口４４ａ、メインノズル３６の噴射口３６ａ及び吸い上げノズル４０の先端開口４０ａの近接する位置に対応する両側方に、噴霧室４８内から外部に通じる吸気口４４ｂ及び４４ｃが設けられている。
このような位置に吸気口４４ａ〜４４ｃが設けられていれば、ノズル本体３８の外部から、ベンチュリ効果により空気を効率よく取り込むことができるので、エジェクタ効果が高められ、炭酸ガスのガス流量や美容液の噴出量を増加させることができる。
また、操作中、吸気口４４ａ、すなわち、筺体の吸気用開口２８を指で塞いでしまったとしても、ノズル４０の両側方向に備えつけられた吸気口４４ｂ及び４４ｃにより、適切なエジェクタ効果を維持することができる。
【００２９】
ノズルジョイント４２は、メインノズル３６の後端側に配置されるようにノズル本体３８に取り付けられている。ノズルジョイント４２の後端側には、メインノズル３６と炭酸ガスボンベ２２とを連通するガス供給路の一部を構成するホース４９が接続されている。
【００３０】
吸い上げノズル４０は、その開口４０ａの上部をメインノズル３６の噴射口３６ａから噴射される炭酸ガスのガス流が通過するように固定されている。ここで、吸い上げノズル４０は、メインノズル３６と直交する方向に配置されていることが好ましい。このように両ノズルが配置されていれば、美容液を均一且つ微細にミスト化することができる。
吸い上げノズル４０の内径は、０．２２〜０．２８ｍｍであることが好ましく、このような径であれば、ノズル口に美容液が詰まることなく美容液を吸い上げることができる。
【００３１】
メインノズル３６の先端開口は、吸い上げノズル４０の径より大きく、内径が０．４〜０．６ｍｍであることが好ましい。このような径であれば、美容液を炭酸ガスに溶解させつつ、均一で微細なミストを生成することができる。
【００３２】
外部から空気を取り込む吸気口４４（４４ａ〜４４ｃ）は、内径が２．５〜３．５ｍｍであることが好ましい。このような径であれば、空気を効率よく取り込み、適切な量のミストを適切な強さで顔肌に噴霧することができる。
【００３３】
ノズルアセンブリ１４によれば、まず、メインノズル３６及び吸い上げノズル４０は、ノズル本体３８の噴霧室４８内に内蔵され、噴霧室４８内において、メインノズル３６から噴射される炭酸ガスのガス流により生じるベンチュリ効果によって、タンクアセンブリ１６から美容液を吸い上げノズル４０に吸い上げ、その開口４０ａから噴霧室４８内へ噴出し、且つ、噴出された美容液は、メインノズル３６の噴出口３８ａから噴射される炭酸ガスのガス流によってミスト化されると共に、炭酸ガスを美容液の微粒子に溶解させて炭酸美容液ミストにされ、噴霧室４８のミスト噴霧口４６（開口３２）から、液垂れすることなく、顔肌等に吹き付けられる。
【００３４】
なお、この実施形態においては、３つの吸気口４４ａ〜４４ｃを所定の位置に設けられているが、これに限定されず、例えば、吸い上げノズル４０の先端開口４０ａと対向する位置にのみ、噴霧室４８内から外部に通じる吸気口４４ａを設けたり、メインノズル３６の噴射口３６ａ及び吸い上げノズル４０の先端開口４０ａの近接する位置に対応する側方の一方のみに吸気口４４ｂまたは４４ｃのみ設けたり、または、両側方のみに吸気口４４ｂ及び４４ｃを設けたりすることも可能である。
いずれに設けた場合も、ノズル本体４０の外部から、空気を取り込んでエジェクタ効果によりメインノズル３６から噴射される炭酸ガスのガス流量を増加させることができるが、吸い上げノズル４０の先端開口４０ａと対向する位置に、噴霧室４８内から外部に通じる吸気口４４ａを設けた場合、特に好ましい効果を有する。
【００３５】
タンクアセンブリ１６は、図１や図２に示すように、ノズルアセンブリ１４の下方に配置され、図６に拡大して示すように、美容液を貯留するタンク５０を構成するものであり、タンク５０にねじ５２ａおよび５２ｂで固定された天板５４と、天板５４に設けられた、美容液を注ぎ入れるための注ぎ口５６と、注ぎ口５６を閉塞する蓋５８と、天板５４に上下動可能に取り付けられ、下端が、タンク５０内に開口し、上端の開口が吸い上げノズル４０の後端の開口に接続される管状の受け継ぎ手６０と、この受け継ぎ手６０を天板５４に対して上側に付勢するバネ６２とを備えるものであり、受け継ぎ手６０の上端を吸い上げノズルの後端にバネ６２によって押し当てることにより、受け継ぎ手６０と吸い上げノズル４０とを連通するように接続すると共に、タンク５０を筐体２４にロックすることができる。タンク５０の下面を受け継ぎ手６０の下端側に向かってテーパを持たせることにより、美容液等がタンク内に残りにくくすることができる。タンクアセンブリ５０の形状は、筐体に設けられるタンクアセンブリ１６を固定する凹部（図示せず）と嵌合し、タンク５０を筐体２４に固定する突出部６４も設けられている。
【００３６】
また、タンクアセンブリ１６は、図７に示すように、筺体１２の内部に設けられたガイド部６６により、スライドさせて、筺体内から引き出すことができるものである。このような構造によれば、従来のような美容液供給経路にねじ込んで使用するカップに比べ、手間をかけることなく、容易に美容液を補給することができる。例えば、美容液が足りなくなった場合、タンクアセンブリ１６を筐体１２から引き出して、蓋５８をはずし、タンク内へ新たな美容液を注いだ後、蓋５８を閉め、筐体内へタンクアセンブリ１６を戻すことで、美容液を補充することができる。また、タンク５０は、そのものを取り換えることが可能であるため、例えば、水を入れたタンクや種々の美容液を入れたタンク等を、用途に応じて使い分けることもできる。
【００３７】
バルブアセンブリ１８は、図１に示すように、ノズル本体３８メインノズル３６と減圧弁アセンブリ２０との間に設けられ、図８に拡大して示すように、開閉弁６８と、上部バルブ７０と、上部バルブ７０に嵌合され、上部バルブと下部バルブの間に配置されるＯリング７４、減圧弁アセンブリ２０に連通するガス供給路に連結されている下部バルブ７２と、開閉弁６８を外部から操作する操作ボタン３４と、を備える。開閉弁６８は、下部弁体６８ａと下部バルブ７２のとの間に備えられるバネ７６により操作ボタン３４側に付勢される。
【００３８】
開閉弁６８は、上部バルブ７０に挿通され、上部バルブ７０は、下部バルブ７２に嵌合されて、Ｏリング７４が上部バルブ７０と接離可能に配置されている。操作ボタン３４を押し込むとこのＯリング７４が、上部バルブ７０の壁面７０ａから離れ、炭酸ガスが、矢印に示すように、上部バルブ内７８に流入し、上部バルブの開口８０及び下部バルブの開口８２を介して、ノズルアセンブリに通ずるホースに流出される。
【００３９】
減圧弁アセンブリ２０は、図９に拡大して示すように、調圧スプリング８４、圧力調整体８６、圧力調整室８８、ステム９０、ノズル部９２とを備えている。
減圧弁アセンブリ２０は、バルブアセンブリ１８に連通するガス供給路に接続され、且つ、調圧スプリング８４の付勢により圧力調整体８６を介してステム９０を所定の圧力で支持することにより、圧力制御室８８内を所定の圧力に維持している。
バルブアセンブリ１８の開閉弁６８が開かれると、圧力制御室８８から炭酸ガスが放出され、圧力制御室内のガス圧が低下するため、炭酸ガスが炭酸ガスボンベ２２のノズル部９２から流入する。
【００４０】
本発明の美顔器は、図１０に示すように、ノズルアセンブリ１４の第１の吸気口４４ａを洗浄する掃除ユニット９４を備えることもできる。
掃除ユニット９４は、第１の吸気口４４ａに差し込み、摘み９６を回すことで、針吐出口９８から掃除針を吐出させ、吸い上げノズル４０内に通すことでノズル内の美容液の詰まりを解消することができる。
【００４１】
次に、本発明の美顔器の使用方法を説明する。
操作ボタン３４を押圧すると、開閉弁６８が解放され、炭酸ガスが、ガス供給路を通じて、ノズルアセンブリ１４のメインノズル３６の噴射口から噴射されるとともに、その噴射される炭酸ガスのガス流によるベンチュリ効果によって、タンクアセンブリ１６のタンク５０内にある美容液が吸い上げノズル４２内に吸い上げられ、先端開口４２ａから噴出される。さらに、炭酸ガスのガス流は、噴霧室４８ないにおいて、吸い上げられた美容液を霧状のミストにするとともに、そのミストに炭酸ガスを溶解させて炭酸美容液ミストを発生させ、筺体１２の開口３２から顔肌等へ噴霧させる。
【００４２】
上記実施の形態においては、本発明の美顔器に用いる機能性水溶液として、美容液を使用したが、これに限定されず、水や化粧水を機能性水溶液として使用することもできる。
本発明の美顔器は、炭酸ガスを用いて機能性水溶液を顔肌に吹き付けるものであるが、頭皮へ育毛剤を吹き付けたり、腕や足といった身体に美容液等を吹き付けたりする場合にも使用できる。
【００４３】
以上、本発明に係る美顔器について詳細に説明したが、本発明は、以上の実施形態に限定されるものではなく、本発明の要旨を逸脱しない範囲において、各種の改良や変更を行ってもよい。
【符号の説明】
【００４４】
１０  美顔器
１２  筐体
１４  ノズルアセンブリ
１６  タンクアセンブリ
１８  バルブアセンブリ
２０  減圧弁アセンブリ
２２  炭酸ガスボンベ
２４  上ケース
２４ａ  ヘッド部
２４ｂ  本体部
２５  筐体の外表面
２５ａ  上面
２５ｂ  ヘッド部の前面（正面）
２６  下ケース
２８  吸気用開口
３０  カバー
３０ａ  スリット
３２  （筺体２４ａに形成されている）開口
３４  操作ボタン
３５  （筺体２４ｂに形成されている）開口
３６  メインノズル
３６ａ  ガス噴出口
３８  ノズル本体
４０  吸い上げノズル
４０ａ  吸い上げノズルの開口（美容液噴出口）
４２  ノズルジョイント
４４、４４ａ〜ｃ  吸気口
４６  ミスト噴霧口
４８  噴霧室
４９  ホース（ガス供給路）
５０  タンク
５２ａ、５２ｂ  ねじ
５４  天板
５６  注ぎ口
５８  蓋
６０  受け継ぎ手
６２  バネ
６４  突出部
６６  ガイド部
６８  開閉弁
６８ａ  下部弁体
７０  上部バルブ
７０ａ  上部バルブの壁面
７２  下部バルブ
７４  Ｏリング
７６  バネ
７８  上部バルブ内
８０  （上部バルブに設けられた）開口
８２  （下部バルブに設けられた）開口
８４  調圧スプリング
８６  圧力調整体
８８  圧力調整室
９０  ステム
９２  ノズル部
９４  掃除ユニット
９６  つまみ
９８  針吐出口
【図１】
2016150225.tif 000003
【図２】
2016150225.tif 000004
【図３】
2016150225.tif 000005
【図４】
2016150225.tif 000006
【図５】
2016150225.tif 000007
【図６】
2016150225.tif 000008
【図７】
2016150225.tif 000009
【図８】
2016150225.tif 000010
【図９】
2016150225.tif 000011
【図１０】
2016150225.tif 000012